(57)【要約】【課題】建築構造物の外壁を構成するモルタル板、コンクリート板等の外壁材を継ぎ合わせた隙間即ち目地を美しく仕上げることができる硬度と弾性に優れたゴム製のシーリング用篦を安価に提供する。【解決手段】シーリング用篦１の均し板２は上底２１よりも下底２２の方が幅が広い台形をなし、上底２１が手前に下底２２が先端に位置するように均し板２に保持棒３が挿入されている。均し板のｂ面の先端はほぼ４５°に斜めにカットされたカット面２７を有する先端部２４を構成している。均し板２のｂ面の裏面を目地に当てて目地に挿入されたシーリング材の均し作業を行う。【選択図】  図１
0003232545.tif 000002
【実用新案登録請求の範囲】
【請求項１】
先端が広く手前が狭い台形をした硬度と弾性に優れたゴム製の板材よりなる均し板、及び
硬質の棒材製の保持棒より構成された篦であって、上記均し板は台形の下底を斜めに切削
されたカット面を有する先端部、及び台形の上底に設けられた開口から上記先端部の内部
近くまで削設された上記保持棒の挿入孔を有し、上記保持棒は上記挿入孔に挿入され上記
均し板の先端部の内部近くまで挿入されて着脱自在に固定されていることを特徴とするシ
ーリング用篦。
【請求項２】
上記均し板の先端部のカット面の断面角度は４０°ないし５０°とし、好ましくは４５°
であることを特徴とする請求項１に記載のシーリング用篦。
【請求項３】
上記均し板の上底に該上底を斜めに切削したカット面を設け、該カット面の断面角度は４
０°ないし５０°とし、好ましくは４５°であることを特徴とする請求項１に記載のシー
リング用篦。
【請求項４】
上記硬質で弾性に優れたゴムとして自動車タイヤ用のゴム、特に好ましくは無発泡ウレタ
ンゴムを使用することを特徴とする請求項１に記載のシーリング用篦。
【考案の詳細な説明】
【技術分野】
【０００１】
本考案はシーリング用篦、特に、シーリングガンによって建物の外壁用のモルタル材等
の目地にシーリング材を注入した後、注入されたシーリング材の表面を美しくならすため
の篦に関する。
【背景技術】
【０００２】
建築構造物の外壁はモルタル板、コンクリート板等の外壁材を継ぎ合わせて構築されてい
る。これらの外壁材は、地震や熱膨張の為に隣同士の外壁材が接触して破損するのを防ぐ
ために数センチ離して断熱材の表面に接着されている。この隙間を目地と称しているが、
この目地から雨水が侵入するのを防ぐために目地用のシーリング材を通常シーリングガン
等を使用して目地に注入して目地全体に防水層を形成している。シーリング材にはシリコ
ーン系、ポリウレタン系等のペースト状の硬化剤が使用されている。コーキングガンで目
地にシーリング材を注入すると、その表面に凹凸が生ずる。この凹凸を通常下記特許文献
に記載のような左官用鏝を用いて均している。
【先行技術文献】
【特許文献】
【０００３】
【特許文献１】実用新案登録第３１３１１０１号公報
【考案の概要】
【考案が解決しようとする課題】
【０００４】
モルタル板等の目地にシーリングガンを用いて注入したシーリング材は通常その表面に凹
凸が生じる。この凹凸を均すために実用新案登録第３１３１１０号公報記載のような左官
用鏝を用いて均した場合、先端が固いので出っ張った部分の余分のシーリング材は下に落
下し捨てられてしまう。また、固い先端部によってシーリング面に縦に筋ができてしまう
欠点もある。
【０００５】
本考案は前記問題を解決するために、建築構造物の外壁材の継ぎ目の隙間即ち目地を美し
く仕上げることができる硬度と弾性に優れたゴム製のシーリング用篦を安価に提供するこ
とを目的とする。
【課題を解決するための手段】
【０００６】
本考案のシーリング用篦は、先端が広く手前が狭い台形をした強度と弾性に優れたゴム製
の板材よりなる均し板、及び硬質の棒材製の保持棒より構成されている。そして、上記均
し板は台形の下底が斜めに切削されたカット面を有する先端部及び台形の上底に設けられ
た開口から上記先端部の内部近くまで削設された上記保持棒の挿入孔を有し、上記保持棒
は上記挿入孔に挿入され上記均し板の先端部の内部近くまで挿入されて着脱自在に固定さ
れていることを特徴とする。
【０００７】
上記均し板の先端部のカット面の断面角度は４０°ないし５０°、好ましくは４５°であ
る。
【０００８】
上記強度と弾性に優れたゴムとしては、自動車のタイヤに使用されているゴムは何れも使
用可能性があるが特に強度と弾性に優れた無発泡ウレタンゴムを使用することが好ましい
。
【０００９】
上記保持棒としては、金属、木製、竹製等硬い材質の棒材なら何れも使用可能性はあるが
、特に、ある程度しなることができる竹製が好ましい。
【００１０】
本考案のシーリング用篦はシーリングガンによって充填された目地の均し作業に使用でき
るが、シーリングガンを使用しないで直接容器に調整したシーリング材をすくい取り目地
に塗り込む作業を行うこともできる。
【考案の効果】
【００１１】
本考案のシーリング用篦は、先端が広く手前が狭い台形をした強度と弾性に優れたゴム製
の板材より構成されているので、シーリングガンで目地に注入した凹凸を有するシーリン
グ材の表面をこの篦の先端の台形の下底よりなる先端部でなぞれば平らにならす効果があ
る。また、均し板はその先端部の下底より上底の方が狭い台形に構成されているので、テ
ーパー部などの目地のシーリングに使用する場合、均し板の上底に近い部分がテーパー部
の側壁に当たらず、作業がしやすいという効果もある。
【００１２】
しかも、この篦の材質は強度と弾性に優れたゴム製の板材より構成され、しかもその先端
部は斜めにカットされているので柔軟性に富み、目地の幅より若干広い篦を使用すれば、
篦の先端部の両端は建築用外壁材のヘリに接し、目地に接する中央部のみその材質が弾性
を持つゴムで構成されているので、モルタル板等のヘリよりも若干へこみ、しかも均一に
シーリング材の表面を均すことができる。
【００１３】
特に上記均し板の先端部のカット面の断面角度は４０°ないし５０°、好ましくは４５°
であるので、この先端部は可撓性に富み、この先端部を目地のシーリング材の表面に押し
つけた場合、適当にしなり、外壁材の表面より低い位置にあるシーリング材にも届き、そ
の凹凸を平坦に均すことができると共に、過度にシーリング材の表面を削り取ることもな
くなる。
そのカット面の断面角度が４０°より少ないと柔らかくなり過ぎ、シーリング材の表面に
深く入り過ぎ、均した後のシーリング材の表面はアーチ状にへこみシーリング材が薄くな
るので、ひび割れが生じ安く耐水性、耐久性に劣ることになる。
【００１４】
一方、カット面の断面角度が５０°より大きいと硬くなり過ぎ、シーリング材の凹んだ部
分に届かなくなり、シーリング材の表面を均一にならすことが出来なくなる。
【００１５】
又、上記保持棒は均し板の挿入孔の先端部の内部近くまで挿入されているので、均し作業
中均し板が過度に屈曲することなく、均し板の先端部にシーリング材に押しつける力を伝
達できるので、上記のごとく、シーリング材の表面を均一均すことができる。
更に、保持棒は均し板に着脱自在に挿入されているので、均し板を洗浄したり、保管する
場合、両者を取り外すことができるので、洗浄や保管に便利である。
【００１６】
上記均し板の材質は強度と弾性に優れたゴム、例えば自動車のタイヤに使用されているゴ
ムを使用しているので、上記のごとく均し板の均し効果を十分発揮することが出来る。経
験上は、強度と弾性に優れた無発泡ウレタンゴムを使用することが特に好ましい。
【図面の簡単な説明】
【００１７】
【図１】本考案のシーリング用篦の一実施例を示す平面図。
【図２】図１の側面図。
【図３】図１の下面図。
【図４】本考案のシーリング用篦の使用状態を説明する説明図。
【考案を実施するための形態】
【００１８】
本考案のシーリング用篦を次の実施例によって詳しく説明する。
【実施例】
【００１９】
図１は本考案のシーリング用篦の実施例を示す平面図で、シーリング用篦１は均し板２と
それに挿入された保持棒３とより構成されている。
均し板２は上底２１よりも下底２２の方が幅が広く、上底２１が手前に下底２２が先端に
位置するように均し板２に保持棒３が挿入されている。
均し板のｂ面の先端部２４のカット面２７はほぼ４５°に斜めにカットされている。又均
し板２の表面のｂ面の両サイドは斜めにカットされてテーパー部２５が構成されている。
保持棒３は均し板２の先端部２４近くまで挿入されている。
【００２０】
図２は図１の側面図で、均し板２の先端部２４のカット面２７はほぼ４５°にカットされ
ている。また均し板の上底２１もほぼ４５°に斜めにカットされ、カット面２８を形成し
ている。カット面２８を設けることにより、余分なシーリング材をバチ箆に戻すときに上
底２１の角がバチ箆に引っかかるのを防ぐためである。なお、図中ａは均し板２の裏面で
この面を目地に向けて外壁材の端部に接触させて均し作業を行う。
【００２１】
図３は図１の下面図で、均し板２の上底２１には保持棒を挿入する挿入口２３が開口して
いる。保持棒３はこの開口部２３から均し板２に挿入され、図１、図２に示すように均し
板２の先端部２４近くまで挿入されている。
【００２２】
図４は本考案のシーリング用篦の使用状況を説明するための図であって、２枚のモルタル
板４，４の隙間の目地５にシーリングガンによって充填されたシーリング材７を手６に持
ったシーリング用篦１の均し板２の先端部２４の先端２６でこすって均す。この際、カッ
トされた先端部２４のカット面２７は上向きになっている。
【符号の説明】
【００２３】
１  シーリング用篦
２  均し板
２１  上底
２２  下底
２３  開口部
２４  先端部
２５  テーパー部
２６  先端
３  保持棒
４  モルタル板
５  目地
【図１】
0003232545.tif 000003
【図２】
0003232545.tif 000004
【図３】
0003232545.tif 000005
【図４】
0003232545.tif 000006
【手続補正書】
【提出日】令和3年4月13日(2021.4.13)
【手続補正１】
【補正対象書類名】実用新案登録請求の範囲
【補正対象項目名】全文
【補正方法】変更
【補正の内容】
【実用新案登録請求の範囲】
【請求項１】
先端が広く手前が狭い台形をした硬度と弾性に優れたゴム製の板材よりなる均し板、及び
硬質の棒材製の保持棒より構成された篦であって、上記均し板は台形の下底を斜めに切削
されたカット面を有する先端部、及び台形の上底に設けられた開口から上記先端部の内部
近くまで削設された上記保持棒の挿入孔を有し、上記保持棒は上記挿入孔に挿入され上記
均し板の先端部の内部近くまで挿入されて着脱自在に固定されていることを特徴とするシ
ーリング用篦。
【請求項２】
上記均し板の先端部のカット面の断面角度は４０°ないし５０°とし、好ましくは４５°
であることを特徴とする請求項１に記載のシーリング用篦。
【請求項３】
上記均し板の上底に該上底を斜めに切削したカット面を設け、該カット面の断面角度は４
０°ないし５０°とし、好ましくは４５°であることを特徴とする請求項１に記載のシー
リング用篦。
【請求項４】
上記硬質で弾性に優れたゴムとして自動車タイヤ用のゴムを使用することを特徴とする請
求項１に記載のシーリング用篦。